(57)【要約】  【課題】  二種の異なる記録再生処理を行うシステムにおいて、一方の記録再生処理に他方の記録再生処理を接続する場合に、二つのシステムから各々で外部へのデータの受け渡しを制御するには、インターフェイスの制御が困難になる。  【解決手段】  本発明では、二つの異なる記録再生システムを一つのＩ／Ｆとすることにより、外部から見て一つの記録再生システムとして制御することが可能となる。また、一方のメモリに対してにメモリアクセスチャンネルを追加することで、信号処理回路に大きな変更を行わずに、メモリ間のデータの受け渡しを実現できる。さらに二つの記録再生システムがそれぞれ外部とのＩ／Ｆを備えた場合にも、その間にＩ／Ｆ変換回路を挿入することで、外部から見て一つのシステムとして動作させることが可能である。  【選択図】  図１
2005108278.tif 000002
【特許請求の範囲】
【請求項１】
データの入力を行う入力回路と、データに記録処理を行う第１の記録処理回路と、第１の記録処理とは異なる第２の記録処理を行う第２の記録処理回路と、記録媒体にデータの記録を行う記録手段を備えた記録再生装置において、
前記記録再生装置は、第１の記録処理のための第１のメモリと第２の記録処理のための第２のメモリとを備え、前記入力回路からの入力データを第１のメモリに蓄え、第２の記録処理を行ったデータを記録する場合には、第１のメモリから第２のメモリにデータを受け渡すようにしたことを特徴とする記録再生装置。
【請求項２】
請求項１において、前記第１のメモリは前記入力回路からのデータをメモリに蓄え、前記第１の記録回路は、前記第１のメモリに書き込まれたデータを入力回路から入力された順序で前記第２のメモリに出力するようにしたことを特徴とする記録再生装置。
【請求項３】
請求項２において、前記第２の記録回路は、前記第１のメモリから読み出されたデータを一旦蓄える第３のメモリを備え、前記第１のメモリから読み出されたデータの順序を変えて前記第２のメモリに出力することを特徴とする記録再生装置。
【請求項４】
請求項１において、前記第１の記録回路は、前記第１のメモリから読み出されたデータを出力するための端子を備えたことを特徴とする記録再生装置。
【請求項５】
データの出力を行う出力回路と、データに再生処理を行う第１の再生処理回路と、第１の再生処理とは異なる第２の再生処理を行う第２の再生処理回路と記録媒体からデータの再生を行う再生手段を備えた記録再生装置において、
前記記録再生装置は、第１の再生処理のための第１のメモリと第２の再生処理のための第２のメモリとを備え、前記出力回路への出力データを第１のメモリに蓄え、第２の再生処理を行ったデータを出力する場合には、第２のメモリから第２のメモリにデータを受け渡すようにしたことを特徴とする記録再生装置。
【請求項６】
請求項５において、前記第２のメモリは前記出力回路へのデータをメモリに蓄え、前記第１の再生回路は、前記第２のメモリに書き込まれたデータを出力回路から出力された順序で前記第１のメモリに受け取るようにしたことを特徴とする記録再生装置。
【請求項７】
請求項６において、前記第２の再生回路は、前記記録媒体から読み出されたデータを一旦蓄える第３のメモリを備え、前記記録媒体から読み出されたデータの順序を変えて前記第１のメモリに出力することを特徴とする記録再生装置。
【請求項８】
請求項５において、前記第１の再生回路は、前記第２のメモリから読み出されたデータを受け取るための端子を備えたことを特徴とする記録再生装置。
【発明の詳細な説明】
【技術分野】
【０００１】
本発明は、媒体にデータを記録再生するために、RAM(Random  Access  Memory)を用いて記録再生信号処理を施すエンコード・デコードを行うシステムを備えた記録再生装置および方法に関する。
【背景技術】
【０００２】
記録再生を行うシステムとして、磁気テープや光ディスクを記録媒体に用いたシステムがある。これらはデータの信頼性を確保するために誤り訂正符号を付加し、記録媒体に対応した変調を施して、記録媒体上に記録する。通常、データの記録再生を行うシステムでは、誤り訂正の符号化、復号化や、インターリーブ、またはデータバッファの役割の為に、データを一時的にＲＡＭなどのメモリに貯えて、処理を行うのが一般的である。特許文献１では、複数の処理回路が共通のメモリをアクセスしながら、データ処理を行うデータ処理装置などについて述べられている。
【０００３】
図２〜５は記録媒体の１種であるＤＶＤ（Digital  Versatile  Disc）のデータフォーマットの構成を示したものである。図２は、２０４８バイトのメインデータ２０５に４バイトのＩＤ２０１に２バイトのＩＥＤ２０２やコピー情報であるＣＰＲ＿ＭＡＩ２０３を付加し、誤りチェックコードＥＤＣ２０４を付加したデータセクタの構成を示している。これを１６セクタ集めて３２ｋバイトを一つの単位とし、図３に示すようにＰＩ３０２，ＰＯ３０３の２種の誤り訂正コードを付加してＥＣＣブロックとしている。これにたいして、図４は、１２行ごとにＰＯをインターリーブし、一定の間隔で並べ替えたものである。インターリーブされた１３行×１８２バイトの記録セクタ２３６６バイトを、０番目と９１番目の列の前に２ＳＹＮＣ符号（同期符号）５０１を加えながら、第０行から行毎に順次変調することで“物理セクタ”５０２を構成する。１物理セクタは、図５に示すように、１３組×２ＳＹＮＣフレームから構成され、(２Ｂ+９１Ｂ)×１３行×２×１６ｂｉｔｓ／Ｂｙｔｅｓ＝３８６８８チャネルビットから成る。さらに、８ビット入力データ１６チャネルビット符号に変換する８/１６変調を施した形で、ディスク上に記録される。破線で示した矢印は記録媒体上に記録するデータの方向である。
【０００４】
上記の例に示したように、ＤＶＤのデータ構成は、図２に支援したように行方向（横方向）の並びでデータを入力し、図３のように列方向（縦方向）のＰＯと行方向のＰＩを付加し、図５のように行方向で読み出したデータを、変調しながら記録媒体に記録する。このように記録または再生のために施される処理は、一旦ＲＡＭに蓄えられて処理されることのが通常である。
【０００５】
特許文献２はＲＡＭを用いたデータの処理方法について記載されている。ＲＡＭは大きく分けるとＳＲＡＭ（Static RAM）とＤＲＡＭ(Dynamic RAM)の２種類がある。ＤＲＡＭは一般的にＳＲＡＭよりもアクセス速度が遅い上に、制御回路が複雑になるが、ＳＲＡＭよりも安価で容量が大きいため、ＰＣをはじめ広く使われている。ＤＲＡＭは一般にアクセス時間、サイクル時間がＳＲＡＭよりも遅いという欠点を持っているため、アクセス時間を実効的に早くする手法として、例えばページモードという高速アクセスモードを使って、アクセス速度の向上を図っている。ＤＲＡＭの読み出しは次のような順序で行われる。行アドレスによりワード線を選択し、そのワード線に接続されるメモリセルのデータをすべてセンスアンプに送る。次に列アドレスによりセンスアンプ群の中のいくつかを選択し、そのデータを出力バッファに送る。したがって、センスアンプの出力が確定した後は、列アドレスを変更するだけで別のメモリセルのデータをアクセスすることができる。ページモードは、列アドレスの変更によってアクセスするもので、データはセンスアンプから出力端子に送られるだけなので、通常のサイクルに比べてアクセス時間が短くなる。
【０００６】
ＤＲＡＭに付加機能を追加して、さらにアクセス時間、サイクル時間を早くしたＤＲＡＭの一つにＳＤＲＡＭ（Ｓｙｎｃｈｒｏｎｏｕｓ ＤＲＡＭ）があげられる。ＳＤＲＡＭは、インタフェースを同期回路にすることにより、外部クロックに同期して連続にデータ入出力ができ、高速転送を可能にしたＤＲＡＭである。動作制御はＲＡＳ（Ｒｏｗ Ａｄｄｒｅｓｓ Ｓｔｒｏｂｅ）、ＣＡＳ（ＣｏｌｕｍｎＡｄｄｒｅｓｓ Ｓｔｒｏｂｅ）、ＷＥ（Ｗｒｉｔｅ Ｅｎａｂｌｅ）を組み合わせたコマンドにより行い、コマンド入力およびデータの入出力はすべて外部クロックに同期する。また、バーストモードによりクロックに同期して連続にデータの入出力ができる。さらに、メモリ内部は２つあるいは４つのバンク（エリア）に分割されており、それぞれを独立にコントロールすることが可能である。通常のＤＲＡＭは１バンク構成であるため、行アドレスを変えた場合は必ずプリチャージ時間が必要であり、その間はデータ出力を止める必要がある。ＳＤＲＡＭは複数のバンクを持つため、例えば２つのバンクを交互にアクセスすれば、従来行アドレスの切り換え時に必要だったプリチャージ時間を見かけ上隠すことができる。  
【０００７】
次に、別の記録媒体にデータを記録する例として、非特許文献１のようなものがある。これは、青色レーザを用いた光ディスクシステムとして２０ＧＢ（ギガバイト）を超える光ディスク媒体である。図７は非特許文献１に記載されている記録データのブロック構成である。ユーザデータは６４ｋバイトのデータを一つの単位としてエンコードされ、ＬＤＣ（long Distance Code）と呼ばれる符号化と、ＢＩＳ（Burst Indicator Subcode）と呼ばれるアドレス情報とサブコードを合わせて、４９６バイト×１５５バイトの構成としている。記録データは太線で示した矢印の方向の順に記録媒体上に記録される。
図６を用いて図８で示したデータを記録する場合の記録ブロックを構成するデータのエンコードについて説明する。図６は、ユーザデータとアドレス及びサブコードを符号化する工程を示している。６０１にて、２０４８バイトの記録データに対して、４バイトの誤り検出用のＥＤＣ（Error Detection Code）を付加して２０５２バイトとし、６０２では、２１６バイトのユーザデータごとに３２バイトのパリティを付加するＬＤＣ符号化を行っている。ＬＤＣ符号化されたデータに対して、誤り訂正能力を向上させるために所定の規則でインターリーブ６０３を行う。ユーザデータに対して、アドレス及びサブコードは、６０４で、記録するデータ及び記録位置に対応してアドレス及びサブコードを生成し、６０５にて３０バイトのデータに対して３２バイトのパリティを付加するＢＩＳ符号化を行う。ＢＩＳ符号化されたデータに対して、誤り訂正能力を向上させるために所定の規則でインターリーブ６０６を行う。インターリーブされたＬＤＣとＢＩＳは、６０７にてＬＤＣとＢＩＳの順序が合うように並べて、６０８で1-7pp変調を施されて記録媒体に記録される。ここでインターリーブは６０３と６０６独立に示したが、６０７での配置後に行っても構わない。本図面には、記載していないが、データをランダム化させるために、あらかじめユーザデータに乱数を付加するスクランブルといわれる処理を施す場合もある。
【０００８】
ＬＤＣ符号化は、ＲＳ（リードソロモン）符号により、２１６個のデータに、３２個のパリティが付加され２４８バイト×１５２バイトの構成となる。これを２個併せたものでＬＤＣデータは構成されている。
【０００９】
ここで、図７に示したデータの構成を２個併せて、図８に示すような記録するためのＬＤＣデータ構成とする。この時、例えば特許文献３の第７図に示すように、複数のＬＤＣ符号化による符号語のいずれかの１バイトを複数の符号語について交互に配置するように組み合わせることで、記録ブロックを構成することも出来る。つまり、図９に示したようにＬＤＣの２個のデータ構成をそれぞれＡ／Ｂとし、それぞれから１バイトずつのデータを交互に配置して、Ａの１番目のデータ、Ｂの１番目のデータ、Ａの2番目のデータ、Ｂの２番目のデータ、……、というように組み合わせて配置しても良い。また、ＢＩＳも同様に複数の符号語について交互に並べ替えながら配置しても良い。これらＬＤＣとＢＩＳを組合せ、１５５バイトおきに同期を合せるためにＳＹＮＣコードを付加し、図８の記録データブロックの構成となる。
【００１０】
【特許文献１】特開平１１−６５９１９号公報（１図）
【００１１】
【特許文献２】特開平１１−９８４６２号公報（第３−４頁、第４−５図）
【特許文献３】特開２００２−１１１５１４号公報（第１２頁、第７図）
【非特許文献１】「Optical Disc System for Digital Video Recording」(Jpn. J. Appl.Phys. Vol.39(2000)Pt. 1, No.2B  Fig.2)
【発明の開示】
【発明が解決しようとする課題】
【００１２】
図５に示した記録データの構成は、ＤＶＤシステムとして既に実現されており、このシステムに図８に示した記録データの構成を行う処理システムを加えるためにはいくつかの工夫が必要になる。しかしながら、図２〜５及び図６〜９に示したデータ構成は異なっており、ＲＡＭの似ついては工夫が必要である。また、外部とのデータの入出力であるＡＴＡＰＩ等のインターフェイスをどのように共通化するかという点も課題の一つである。
【００１３】
本発明の目的は、このようなデータの構成が異なる複数のデータ処理を行うデータ記録再生装置を提供することにある。
【課題を解決するための手段】
【００１４】
上述の複数の異なるデータ処理を行う記録再生装置を実現するために、データの入力を行う入力回路と、データに記録処理を行う第１の記録処理回路と、第１の記録処理とは異なる第２の記録処理を行う第２の記録処理回路と、記録媒体にデータの記録を行う記録手段を備えた記録再生装置において、前記記録再生装置は、第１の記録処理のための第１のメモリと第２の記録処理のための第２のメモリとを備え、前記入力回路からの入力データを第１のメモリに蓄え、第２の記録処理を行ったデータを記録する場合には、第１のメモリから第２のメモリにデータを受け渡すようにした。
【００１５】
また、データの出力を行う出力回路と、データに再生処理を行う第１の再生処理回路と、第１の再生処理とは異なる第２の再生処理を行う第２の再生処理回路と記録媒体からデータの再生を行う再生手段を備えた記録再生装置において、前記記録再生装置は、第１の再生処理のための第１のメモリと第２の再生処理のための第２のメモリとを備え、前記出力回路への出力データを第１のメモリに蓄え、第２の再生処理を行ったデータを出力する場合には、第２のメモリから第２のメモリにデータを受け渡すようにした。
【発明の効果】
【００１６】
以上のように本発明によれば、二つの異なる記録再生システムを一つのＩ／Ｆとすることにより、外部から見て一つの記録再生システムとして制御することが可能となる。また、一方のメモリに対してにメモリアクセスチャンネルを追加することで、信号処理回路に大きな変更を行わずに、メモリ間のデータの受け渡しを実現できる。さらに二つの記録再生システムがそれぞれ外部とのＩ／Ｆを備えた場合にも、その間にＩ／Ｆ変換回路を挿入することで、外部から見て一つのシステムとして動作させることが可能である。
【発明を実施するための最良の形態】
【００１７】
本発明の実施例について図を用いて説明する。
【００１８】
まず図１０を用いて、ＤＶＤを一例にして、記録再生処理システムの構成を説明する。１００１は記録型のＤＶＤであり、１００２は光ディスクから信号を書き込み・読み出しを行うピックアップ、１００３はデータのフォーマットに応じた変復調を行う変復調回路、１００４はメモリＡへのアクセスとアドレスを制御するメモリ制御回路、１００５はメモリであり、１００６は誤り訂正符号を付加または復号する誤り訂正回路、１００７はＡＴＡＰＩなどの外部とのＩ／Ｆ-1回路であり、１００８はデータの入出力部である。変復調回路、メモリ制御回路、誤り訂正回路、Ｉ／Ｆ回路を纏めて一つのＤＶＤ信号処理集積回路１０１２とすることも有り、この中に１００５メモリＡを含める場合もある。１００９はサーボ回路であり、１０１０はディスクを回転させるスピンドル、そして、システム全体を制御する１０１１システム制御回路である。これが主なＤＶＤ記録再生システムの構成である。以下、記録及び再生の動作を説明する。例えば、外部聞き出るホストコンピュータからデータを入力する場合には、まず１００７Ｉ／Ｆ-1回路により、データ通信を行う旨のコマンドのやり取りを行う。例えば、ＡＴＡＰＩであれば、ＡＴＡＰＩのパケットコマンドにより転送データのサイズなどの情報が送られる。そして、１００８入出力部から所定の形式でデータが入力され、Ｉ／Ｆ-1回路にて受け取られる。受け取られたデータは、１００４メモリ制御回路でメモリへのアクセスを制御され、メモリ上の所定のアドレスにデータを書き込む。例えば、図２または図３に示したように、記録のためのエンコード処理を行いやすいように、データを配置する。ここで、既に誤りチェックコードＥＤＣを付加やスクランブル処理を行っても良い。次に、メモリ制御回路はメモリＡから  データを読み出して、誤り訂正符号を付加し、メモリＡ上に書き戻す。これをＰＯとＰＩについて行う。その後、データを記録するタイミングでメモリＡから呼び出し、ＤＶＤの変調方式であるEFMplus変調及び同期信号の付加を行って１００２ピックアップへ出力する。ピックアップからは、入力された書き込みデータに従ってレーザを発光させ、記録媒体に記録する。
【００１９】
再生時の処理としては、記録と逆の流れであり、ピックアップ１００２から読み出されたデータは、復調処理を行い、メモリ制御回路１００４を介してメモリＡ１００５上に書き込まれる。この時、データの読み出しと同じ方向であるＰＩ訂正処理も行っても良い。次にメモリＡ１００５からデータを呼び出し、誤り訂正回路１００６にて訂正処理を行い、再度メモリＡ上に蓄えて、Ｉ／Ｆ-1回路１００７から入出力部１００８を介して外部に出力される。サーボ制御回路１００９では、スピンドルモータ１０１によりディスクの回転を制御するとともに、フォーカスやトラッキングの制御を行う。またこれらの記録再生動作全体をシステム制御１０１１にて行う。
【００２０】
図１は本発明の実施例であるＤＶＤの記録再生システムに別システムである第２の記録再生システム構成を加えたものである。ここでは、第２のシステムを図６〜図９にて説明した青色レーザを用いた記録媒体と記録再生システムを例に挙げて述べる。図１０と同じ番号のものは同様の機能を示す。１０２０はメモリＡとのデータの受け渡しを行うＩ／Ｆ-2、１０２１はＩ／Ｆ-2からデータを受け取り、メモリＢへ渡すＩ／Ｆ-3、１０２２はメモリＢの制御回路及び記録再生処理回路を含んだ信号処理回路Ｂ、１０２３は第２のメモリＢである。
本システムでは、従来技術であるＤＶＤの記録再生システム構成に、メモリ制御回路にアクセスするチャンネルが一つ追加することで、第２の記録再システムに対応可能となることを特徴とする。ＤＶＤに記録再生を行う場合には、図１０を用いて説明した通りの動作を行い、第２の記録再生に記録再生を行う場合には、まずシステム制御１０１１が第２の記録媒体に記録再生を行うように制御命令を発行する。記録動作では、記録データは１００８入出力部から所定の形式でデータが入力され、Ｉ／Ｆ-1回路１００７にて受け取り、メモリＡ１００５に書き込む。このとき、ＤＶＤ記録時と同じようにデータの書き込みを行う。システム制御１０１１により、メモリＡ１００５から第２の記録再生のためにデータを読み出すように命令を送る。アクセス制御回路１００４は、メモリＡ１００５に所定の量のデータが書き込まれるとＩ／Ｆ-2回路１０２０を介して、データを第２の記録再生システムに送る。第２の記録再生システムでは、Ｉ／Ｆ-3回路１０２１をデータの受け口として、記録データを受け取る。ここで、基となるシステムはＤＶＤを対象とした記録再生なので、メモリＡ上のデータの配置は、図４または図３のフォーマットに基づいて書き込みを行い、メモリＡからの高速読み出し方向が行方向であるならば、Ｉ／Ｆ-2回路１０２０からの読み出しは、行方向に行うようにする。これにより、メモリＡへの書き込み・読み出しは高速に行うことができる。Ｉ／Ｆ-3回路１０２１では、Ｉ／Ｆ-2回路１０２０からデータを受け取り、第２の記録再生に記録するデータとして、メモリＢ１０２３に書き込みを行う。メモリＢ上には、図８に示した矢印の記録方向とは異なり、入力データの順に列方向にデータを書き込んでいく。ここで、Ｉ／Ｆ-3回路１０２１では、Ｉ／Ｆ-2回路１０２０からのデータを受け取り、メモリＢに書き込むが、アクセス制御の優先順位により、すぐにメモリＢにアクセスできない場合がある。そのため、Ｉ／Ｆ-3回路１０２１では、その間のデータを蓄えるバッファを備える必要がある。また、Ｉ／Ｆ-2回路１０２０では、ＤＶＤの記録再生に合わせたメモリの割付からのデータの読み出しを行っており、これに対して、Ｉ／Ｆ-3回路１０２１では、第２の記録媒体の符号化に適した割付でメモリＢ上書き込むように変換する。信号処理Ｂ１０２２では、誤り訂正符号であるＬＤＣ及びＢＩＳを生成及び誤り訂正や、変復調、メモリＢ１０２３のアクセス制御を行う。ＬＤＳ及びＢＩＳの誤り訂正符号を生成可能なデータが蓄えられると、メモリＢ１０２３からデータを読み出し、誤り訂正符号の生成を行う。訂正符号は列方向のデータに対して符号化されるため、列方向で読み出され、符号生成後にメモリＢ１０２３に列方向で書き込む。その後、同期信号を付加し変調して記録媒体に書き込むために再度メモリＢからデータを読み出す。このときは、図８に示した記録方向の矢印のように行方向にメモリＢからデータの読み出しを行う。図１ではサーボ制御回路及びピックアップをＤＶＤシステムと共用した構成となっているが、これは独立で構成する場合もある。
【００２１】
次に、再生の場合について説明する。第２の記録媒体から再生されたデータは信号処理回路Ｂ１０２２にて、復調処理され、メモリＢ１０２３に蓄えられる。復調されたデータは行方向にメモリＢ上に蓄えられ、誤り訂正のために列方向のデータ列で読み出され、訂正処理及びエラーチェック符号によるチェックの後、メモリＢから出力される。出力データは、Ｉ／Ｆ-3回路１０２１を介して、Ｉ／Ｆ-2回路１０２０に入力され、再度、メモリＡに記録される。メモリＡ上にはＩ／Ｆ-2回路１０２０により、再生処理を終えたＤＶＤのデータと同様にメモリ上に配置するようにし、外部からの命令に応じて、入出力部１００８を介してデータを出力する。
【００２２】
図１１は、図１に示した信号処理回路Ｂの内部構成の一例を示したものである。１１０１は第２の記録媒体であり、１１０２は第２の記録媒体に読み書きを行うピックアップ、１１０３はデータのフォーマットに応じた変復調を行う変復調回路、１１０４はメモリＢへのアクセスとアドレスを制御するメモリ制御回路Ｂ、１１０５はメモリＢであり、１１０６は誤り訂正符号を付加または復号する誤り訂正回路Ｂ、１１０７はＡＴＡＰＩなどの外部とのＩ／Ｆ-3回路であり、１１０８はデータの入出力部である。変復調回路Ｂ、メモリ制御回路Ｂ、誤り訂正回路Ｂ、Ｉ／Ｆ回路を纏めて一つの信号処理集積回路１１１２とすることも有り、この中に１１０５メモリＢを含める場合もある。信号処理集積回路１１１２は、少なくとも、外部とのI/F端子、メモリＡとのＩ/Ｆ端子、メモリのデータ及びクロック、書き込み/読み出し制御信号を入出力する端子を備える。１１１３はＩ／Ｆ-3回路１０２１でのデータを保持するバッファである。記録動作では、記録データは１１０８入出力部から所定の形式でデータが入力され、Ｉ／Ｆ-3回路１１０７にて受け取り、メモリＢ１１０５に書き込む。このとき、第２の記録媒体の記録処理に応じた配置でメモリＢ上にデータの書き込みを行う。ここで、受け取るデータはＤＶＤを対象としたメモリに配置されたデータなので、Ｉ／Ｆ-3回路１１０７にて第２の記録媒体の処理に応じた、メモリＢ上のデータの配置に変換して書き込みを行う。例えば、列方向に配置されるデータの長さを符号化処理するデータに単位に合わせるようにする。Ｉ／Ｆ-3回路１０２１では、アクセス制御回路Ｂ１１０４を介して、メモリＢ１１０５に書き込みを行う。メモリＢ上には、図８に示した矢印の記録方向とは異なり、入力データの順に列方向にデータを書き込んでいく。ここで、Ｉ／Ｆ-3回路１０２１では、Ｉ／Ｆ-2回路１０２０からのデータを受け取り、メモリＢに書き込むが、アクセス制御の優先順位により、すぐにメモリＢにアクセスできない場合がある。そのため、Ｉ／Ｆ-3回路１０２１では、その間のデータを蓄えるバッファ１１１３を備えている。誤り訂正回路Ｂ１１０６では、メモリＢからデータを読み出しＬＤＣ及びＢＩＳ符号化を行う。訂正符号は列方向のデータに対して符号化されるため、列方向で読み出され、符号生成後にメモリＢ１１０５に列方向で書き込む。その後、変復調回路Ｂ１１０３にて、同期信号を付加し変調して記録媒体に書き込むために再度メモリＢからデータを読み出す。これらのチャンネルからのアクセスはアクセス制御回路Ｂ１１０４にて制御される。そして、変調後のデータは１１０２ピックアップを介して１１０１記録媒体に記録される。
【００２３】
次に、再生の場合について説明する。第２の記録媒体から再生されたデータは変復調回路Ｂ１１０３にて復調処理され、メモリＢ１１０５に蓄えられる。復調されたデータは行方向にメモリＢ上に蓄えられ、誤り訂正のために誤り訂正回路Ｂ１１０６に列方向のデータ列で読み出され、訂正処理及びエラーチェック符号によるチェックの後、再度メモリＢに蓄えられる。出力データは、Ｉ／Ｆ-3回路１１０７を介して、入出力部１１０８からＩ／Ｆ-2回路１０２０に出力する。
ここで、この実施例においてはメモリＢに対する書き込み・読み出しは列方向に行う場合が多く、列方向にＲＡＭの高速読み出しを用いることで、記録再生の高速化を図ることができる。
【００２４】
図１２は、図１１に示した例とは異なる信号処理回路の構成を示したものである。図１１と同じ番号のものは同様の機能であることを示す。１２０６は誤り訂正回路、１２１３はメモリＳである。記録動作では、記録データは１１０８入出力部から所定の形式でデータが入力され、Ｉ／Ｆ-3回路１１０７にて受け取り、メモリＳ１２１３に書き込む。メモリＳは図８に示した記録ブロックが少なくとも２個記録できる容量を備えており、高速でランダムアクセス性に優れたＳＲＡＭを用いている。メモリＳ１２１３では、メモリＢに書き込むためにデータの並べ替えと、訂正符号の符号化を行う。メモリＳに蓄えられたデータは、メモリＳ上には、図８に示した矢印の記録方向とは異なり、入力データの順に列方向にデータを書き込んでいく。同時に、ＬＤＣ及びＢＩＳ符号の符号化を行い、メモリＳ上に蓄える。記録ブロック１個分の符号化が終われば、メモリＳ上のデータは図８の矢印の方向に読み出され、メモリＢ１１０５に蓄えられる。このときメモリＳ上では、空き領域に記録データが書き込まれ、符号化処理が行われる。メモリＢ１１０５上の符号化されたデータは、変復調回路Ｂ１１０３にて、同期信号を付加し変調して記録媒体に書き込むためにメモリＢからデータを読み出す。これらのチャンネルからのアクセスはアクセス制御回路Ｂ１１０４にて制御される。そして、変調後のデータは１１０２ピックアップを介して１１０１記録媒体に記録される。ここで、メモリＢ１１０５には、アクセス制御回路Ｂ１１０４によりアクセスを制御されながら書き込みと読み出しを行うが、この場合にはメモリＳ１２１３からの書き込みと変復調回路Ｂ１１０３への読み出しが主な制御チャンネルとなる。メモリＢは、符号化後の記録データを行方向へ書き込み、記録データを行方向に読み出すため、ＤＲＡＭの高速制御モードを行方向に用いることにより、高速化が可能である。
【００２５】
次に、再生の場合について図１３を用いて説明する。第２の記録媒体から再生されたデータは変復調回路Ｂ１１０３にて復調処理され、メモリＳ１２１３に蓄えられる。復調されたデータは行方向にメモリＳ上に蓄えられ、１記録ブロック分のデータが蓄えられたところで、誤り訂正を行う。メモリＳからは、誤り訂正のために誤り訂正回路Ｂ１１０６に列方向のデータ列で読み出され、訂正処理及びエラーチェック符号によるチェックの後、メモリＢに蓄えられる。このとき、メモリＳからデータを出力する順である列方向でデータを読み出し、メモリＢ上に出力データを書き込む。出力データは、Ｉ／Ｆ-3回路１１０７を介して、入出力部１１０８からＩ／Ｆ-2回路１０２０に出力する。この場合、メモリＢ上のデータ配置は高速制御の方向に合わせればよい。この場合では、図１２のように書き込みでのメモリＢの制御方向に合わせて行方向にすると高速化できる。
図１４は、図１２及び図１３で示した例にと別の実施例を示したものである。この例では、記録時には、Ｉ／Ｆ-3回路１１０７から一旦メモリＢ１１０５上に書き込んだ後に、再度メモリＢ１１０５からデータを読み出してメモリＳ上にて符号化を行い、メモリＳからのデータの読み出し方向を変えながら、メモリＢに戻すようにする。また、再生時には、変復調回路Ｂ１１０３で変調されたデータを一旦メモリＢに蓄えた後に、メモリＳ上にて誤り訂正処理を行うようにした。このような方法を用いると、メモリＳ上に読み出される前後の処理でデータの並び方が行方向と
列方向で異なるが、ともに記録ブロック単位のデータでメモリアクセスを管理することで、メモリＢ上では同じ方向のデータとして、制御することができる。
図１５は、本発明の別の実施例のシステム構成の一例を示したものである。図１と同じ番号のものは同様の機能であることを示す。ここではＩ／ＦをＡＴＡＰＩとして説明するが特に限定はしない。なお、信号処理回路Ｂ１０２２は、図１２および図１３に示した構成とする。１５０７は外部とのデータの受け渡しを行うＡＴＡＰＩ、１５２０はメモリＡのデータの受け渡しを行うＩ／Ｆ、１５２２はＩ／ＦからのデータをＡＴＡＰＩ形式に変換するＡＴＡＰＩ変換、１５２１は１５０７と同様のＡＴＡＰＩである。図１と同様の動作であるＤＶＤの記録再生については、説明を省略する。
【００２６】
ここで、第２の記録再生システムについて説明する。第２の記録媒体に記録するために、メモリＡに蓄えられたデータは、ＡＴＡＰＩ１５２１は、ＡＴＡＰＩ１５０７と同様に、外部とのデータの受け渡しを行う通常のインターフェイスである。記録または再生のリクエストおよび応答のコマンドセットを備え、単独のシステムの場合には、入出力部１００８を介して、外部とのインターフェイスをとる機能を備える。これと、第２の信号処理Ｂ１０２２とあわせて、第２の集積回路１５２４を構成している。勿論、この集積回路１５２４にメモリＢ１０２３を含めることも可能である。集積回路１５２４およびサーボ制御回路やシステム制御とピックアップにより、単独の第２のシステムを構成することが可能である。即ち、集積回路１５２１は、ＡＴＡＰＩを入力に備えた第２の記録再生システムのための信号処理集積回路である。
まず、記録時には、システム制御回路１０１１から、第２の記録媒体に記録するためにデータが入力される命令が伝えられ、ＡＴＡＰＩ１５０７は外部から、記録データを受け、メモリＡに蓄える。メモリＡに蓄えられたデータは、システム制御回路１０１１からの命令に従い、Ｉ／Ｆ１５２０を介して第２の記録再生システムにデータを出力する。この出力データを受けて、ＡＴＡＰＩ変換回路１５２２では、第２の記録再生システムに記録データを送ることをＡＴＡＰＩのコマンドとして伝える。即ち、ＡＴＡＰＩ変換回路１５２２は、ＤＶＤ記録再生システム側には、メモリＡからのデータの入出力データを受け渡すバッファとして、第２の記録再生システム側には、通常のＡＴＡＰＩによるインターフェイスを備えた、外部からの入出力と同様のデータの受け渡しの手順を行うインターフェイスとして動作する。メモリＡに蓄えられたデータは、このようにメモリＡからはデータのみが読み出され、第２の記録再生システムに送られる時には、ＡＴＡＰＩのコマンドに従ったデータの転送として送られる。これをＡＴＡＰＩからのデータ入力として第２の記録再生システムが受け取り、メモリＢに書き込む。このようにして、第２の記録システムでの記録信号処理を行い、第２の記録媒体に記録する。最盛時には、この逆の動作を行い、信号処理Ｂ１０２２によって再生処理されたデータは、通常のＡＴＡＰＩによる外部への出力と同様に、ＡＴＡＰＩ１５２１から出力し、それを受けたＡＴＡＰＩ変換回路１５２２は、ＡＴＡＰＩコマンドに応じて,データを受け取り、メモリＡに外部への出力データとして、データを配置する。このようなシステムを構成することにより、それぞれが単独でシステムを構成できる２つのシステムを一つの外部Ｉ／Ｆを介してデータの入出力を行い、外部からの見かけ上、一つのシステムとして動作させることが可能である。また、この時、信号処理Ｂでは内部にＳＲＡＭを備えた図１２および１３のような構成とすることで、高速な記録再生に対応することが可能である。ここではＡＴＡＰＩ変換回路を例に述べたが無論、インターフェイスはＡＴＡＰＩに限定されることはなく、外部からの入出力に合わせたＩ／Ｆを備えた構成であれば、同様の効果を得ることができる。
【００２７】
これまでの実施例では、第一の記録再生システムをＤＶＤシステム第２の記録再生システムを青色レーザーを用いたシステムとして説明したが、この関係は逆でも構わない。
【図面の簡単な説明】
【００２８】
【図１】本発明の一実施例であるＤＶＤの記録再生システムに別システムである第２の記録再生システム構成を加えた図である。
【図２】ＤＶＤにおけるセクタデータの構成を示す図である。
【図３】ＤＶＤにおけるＥＣＣブロックの構成を示す図である。
【図４】ＤＶＤにおけるインターリーブ後のＥＣＣブロックの構成を示す図である。
【図５】ＤＶＤにおける記録データの構成を示す図である。
【図６】非特許文献１に記載されている記録データのエンコードの流れを示す図である。
【図７】非特許文献１に記載されている記録データのブロック構成を示す図である。
【図８】非特許文献１に記載されているＬＤＣデータの構成を示す図である。
【図９】図７に示したデータの構成を２個併せた図である。
【図１０】従来の記録再生装置の構成の一実施例を示す図である。
【図１１】本発明の信号処理回路の構成の一例を示す図である。
【図１２】本発明の信号処理回路の構成の別の一実施例を示す図である。
【図１３】本発明の信号処理回路の構成の別の一実施例を示す図である。
【図１４】本発明の信号処理回路の構成の別の一実施例を示す図である。
【図１５】本発明の記録再生装置の構成の別の一実施例を示す図である。
【符号の説明】
【００２９】
１００１…記録型のＤＶＤ、１００２…ピックアップ、１００３…変復調回路、１００４…メモリ制御回路、１００５…メモリ、１００６…誤り訂正回路、１００７…Ｉ／Ｆ-1回路、１００８…データの入出力部、１０２０…Ｉ／Ｆ-2、１０２１…Ｉ／Ｆ-3、１０２２…信号処理回路Ｂ、１０２３…第２のメモリＢ。
【図１】
2005108278.tif 000003
【図２】
2005108278.tif 000004
【図３】
2005108278.tif 000005
【図４】
2005108278.tif 000006
【図５】
2005108278.tif 000007
【図６】
2005108278.tif 000008
【図７】
2005108278.tif 000009
【図８】
2005108278.tif 000010
【図９】
2005108278.tif 000011
【図１０】
2005108278.tif 000012
【図１１】
2005108278.tif 000013
【図１２】
2005108278.tif 000014
【図１３】
2005108278.tif 000015
【図１４】
2005108278.tif 000016
【図１５】
2005108278.tif 000017